(57)【要約】【課題】優れた通気性により、発汗を蒸発させ外気が入り易く、使用者は気持ちよく野球のプレーをでき、かつ、軽量で耐久性に優れた野球防護具用バンド構造を提供することを目的とする。【解決手段】縦長帯形状を有し、縦方向に沿って複数配設される伸縮可能なゴム糸２と、横方向に沿って複数配設される伸縮不可能なプラスチック線条体３と、斜め方向に沿ってゴム糸２及びプラスチック線条体３と共に編み込まれる伸長規制糸４と、を備えている。また、伸長規制糸４は伸縮しない繊維材を縮れ状に形成している。さらに、伸長規制糸４は着色され、プラスチック線条体３は透明乃至半透明である。【選択図】  図４
2005008996.tif 000002
【特許請求の範囲】
【請求項１】
縦長帯形状を有し、
縦方向に沿って複数配設される伸縮可能なゴム糸（２）と、
横方向に沿って複数配設される伸縮不可能なプラスチック線条体（３）と、
斜め方向に沿って上記ゴム糸（２）及びプラスチック線条体（３）と共に編み込まれる伸長規制糸（４）と、を備えたことを特徴とする野球防護具用バンド構造。
【請求項２】
伸長規制糸（４）は伸縮しない繊維材を縮れ状に形成した請求項１記載の野球防護具用バンド構造。
【請求項３】
伸長規制糸（４）は着色され、上記プラスチック線条体（３）は透明乃至半透明である請求項１又は２記載の野球防護具用バンド構造。
【請求項４】
５０％の伸長状態で、上記ゴム糸（２）・プラスチック線条体（３）・伸長規制糸（４）により形成された網状面（Ｓ）の通気用隙間（８）の合計面積は、網状面（Ｓ）の総面積に対して、２０％乃至３５％である請求項１，２又は３記載の野球防護具用バンド構造。
【請求項５】
５０％の伸長状態で、透明乃至半透明の上記プラスチック線条体（３）の合計面積と上記通気用隙間（８）の合計面積とを合わせた見かけ透過面積の、上記網状面（Ｓ）の総面積に対する割合を、３５％乃至４５％とした請求項４記載の野球防護具用バンド構造。
【発明の詳細な説明】
【０００１】
【発明の属する技術分野】
本発明は、野球防護具用バンド構造に関する。
【０００２】
【従来の技術】
従来、プロテクタ本体を使用者の胴部から外れないように装着するために、使用者の胴部のサイズに合わせて縦方向に伸縮可能となる野球防護具用バンド構造が知られている（例えば、特許文献１参照）。
【０００３】
【特許文献１】
特開２００２−１７７４３５公報
【０００４】
【発明が解決しようとする課題】
この野球防護具用バンドは、通気性の良い技術を有するよう記載されていないので、プレー中に、上記バンドに相当する体の部位の発汗が蒸発せず、外気にも当たりにくいため、使用者は気持ち良くプレーすることができない虞れがある。
そこで本発明は、優れた通気性により、発汗を蒸発させ外気が入り易く、使用者は気持ちよく野球のプレーをでき、かつ、軽量で耐久性に優れた野球防護具用バンド構造を提供することを目的とする。
【０００５】
【課題を解決するための手段】
上述の目的を達成するために、本発明に係る野球防護具用バンド構造は、縦長帯形状を有し；縦方向に沿って複数配設される伸縮可能なゴム糸と；横方向に沿って複数配設される伸縮不可能なプラスチック線条体と；斜め方向に沿って上記ゴム糸及びプラスチック線条体と共に編み込まれる伸長規制糸と、を備えている。
また、伸長規制糸は伸縮しない繊維材を縮れ状に形成した。
また、伸長規制糸は着色され、上記プラスチック線条体は透明乃至半透明である。
【０００６】
また、５０％の伸長状態で、上記ゴム糸・プラスチック線条体・伸長規制糸により形成された網状面の通気用隙間の合計面積は、網状面の総面積に対して、２０％乃至３５％である。
さらに、５０％の伸長状態で、透明乃至半透明の上記プラスチック線条体の合計面積と上記通気用隙間の合計面積とを合わせた見かけ透過面積の、上記網状面の総面積に対する割合を、３５％乃至４５％とした。
【０００７】
【発明の実施の形態】
以下、実施の形態を示す図面に基づき、本発明を詳説する。
【０００８】
図１に示したように、野球でキャッチャーや審判が使用するプロテクタ１０は、プロテクタ本体１１と、プロテクタ本体１１を使用者の胴部に装着させるための装着用ベルト体１５と、を備えている。装着用ベルト体１５は、プロテクタ本体１１の両肩部に連結具７にて取り付けられ伸縮可能な１対の肩部装着用バンド５１，５１と、プロテクタ本体１１の腰廻りに連結具７にて取り付けられる伸縮可能な腰部装着用バンド５２，５２と、肩部装着用バンド５１，５１及び腰部装着用バンド５２，５２を上下方向に連結する連結用バンド６と、を有し、連結用バンド６は、伸縮不可能である。
【０００９】
上記の肩部装着用バンド５１及び腰部装着用バンド５２を構成する伸縮バンド５は、図２，図３，図４に示したように、縦長帯形状を有し、縦方向に沿って複数配設されるゴム糸２…と、横方向に沿って複数配設されるプラスチック線条体３…と、伸縮バンド５の伸びを一定長さまでに抑える伸長規制糸４と、上記ゴム糸２・プラスチック線条体３・伸長規制糸４により形成された網状面Ｓの左右両側に配設される縦方向に伸縮可能な側辺部材９，９と、を備える。
【００１０】
プラスチック線条体３は、透明乃至半透明の伸縮不可能な材質であり、２本のプラスチック細線を並列して一条としたものである。あるいは（図示省略するが）、プラスチック線条体３は、透明乃至半透明の伸縮不可能な材質で、１本のプラスチック細線から成るものでもよい。ゴム糸２は、ゴム糸本体に、着色された糸等の繊維材が、螺旋状に巻きつけられている。また、伸長規制糸４は、着色された糸等の伸縮しない繊維材が縮れ状に形成されたものである。
【００１１】
具体的には、網状面Ｓには、隣り合うプラスチック線条体３同士が、伸縮バンド５が自由状態の場合には略間隙が無いように、横方向に沿って配設され、複数本のゴム糸２…が、縦方向に沿って略等間隔を空けて、プラスチック線条体３に編み込まれている。さらに、伸長規制糸４が、ゴム糸２及びプラスチック線条体３と共に編み込まれる。具体的には、一本の伸長規制糸４は、夫々１本のゴム糸２の左側と右側で３本づつのプラスチック線条体３…に、縦方向に沿って交互に編み込まれて、かつ、隣合う伸長規制糸４，４が、左右対称となるように配設される。このとき、図示省略するが、隣合うゴム糸２，２間で、伸長規制糸４，４が、網状面Ｓの表て面側と裏面側で平面視重なり状態になるのもよい。
そして、網状面Ｓの各プラスチック線条体３…の左右両端が、側辺部材９，９に編み込まれている。ゴム糸２・伸長規制糸４は、例えば共に黒色等の好みの色に着色されたり、あるいは、夫々異なる好みの色に着色される。
【００１２】
図４は、（後述するような、限界まで伸びきる状態に対し、）５０％の伸長状態の伸縮バンド５を示しており、（後述する）通気用隙間８…の合計面積は、網状面Ｓの総面積に対して、２０％乃至３５％であるのが望ましい。面積の割合が２０％よりも小さいと、伸縮バンド５が十分な通気性を得られず、発汗を蒸発させる効果が低く、３５％よりも大きくなると、ゴム糸２及び伸長規制糸４が伸び過ぎて、ゴム糸２を劣化させ易く、あるいは縦方向に引きちぎれてしまう虞れがある。
【００１３】
また、プラスチック線条体３は透明乃至半透明であり、一定距離を置いた場所からは、上記の通気用隙間８…とプラスチック線条体３…とが、共に透過して見える。このプラスチック線条体３…と通気用隙間８…とを合計した見かけ透過面積が、５０％の伸長状態で、網状面Ｓの総面積に対して、３５％乃至４５％であるのが望ましい。
【００１４】
また、図５に示したように、キャッチャーが脚部に装着するレッグガード２０は、レッグガード本体２１と、レッグガード本体２１を使用者の脚部に装着させるための伸縮バンド５と、を備えている。
【００１５】
次に、プロテクタ１０やレッグガード２０を使用する場合の、伸縮バンド５の作用について説明する。図２，図４のように、伸縮バンド５を、矢印のように縦方向へ引っ張ると、複数のゴム糸２…が伸びて、隣合うプラスチック線条体３，３同士が離間していく。このとき、プラスチック線条体３…が伸縮不可能であるため、伸縮バンド５は横方向へ伸縮することがなく、隣合うゴム糸２，２の間隔寸法ｄ及び伸縮バンド５の横幅寸法Ｄが変化しない。
【００１６】
そして、網状面Ｓには、プラスチック線条体３…の相互間に、複数の通気用隙間８…が形成される。伸縮バンド５を、図４の状態からさらに縦方向に伸ばしていくと、（図示省略するが、）通常で縮れ状の伸長規制糸４は、次第に緊張状態になり、伸縮バンド５の縦方向への伸長は規制（阻止）される。
【００１７】
以上のように、伸縮バンド５は、ゴム糸２…により、縦方向に伸縮可能となるので、プロテクタ１０やレッグガード２０の使用者の体型に合わせてフィットする長さに伸ばして装着することができる。また、伸縮不可能なプラスチック線条体３…が横方向に編み込まれると共に、伸長規制糸４が、ゴム糸２…・プラスチック線条体３…に編み込まれているので、横方向へは伸縮せず、斜め方向に引っ張られても、形状の崩れは起きない。よって、繰り返し激しい動きをして使用しても、自由状態では元の形状へと戻り、耐久性に優れるので、寿命が長い。さらに、伸長規制糸４が伸縮しない繊維材を縮れ状に形成されているので、伸縮バンド５は、（ゴム糸２…が切れてしまう）限界長さを超えて伸びることがなく、引きちぎれる虞れがない。
【００１８】
また、伸縮バンド５が伸びると、網状面Ｓに複数の通気用隙間８…が形成されるので、プロテクタやレッグガードを着用してプレーした場合に、（図４に示したように、）かいた汗が、矢印１２のように複数の通気用隙間８…を通過して蒸発し易く、また、風通しが良いので、使用者は気持ち良くプレーすることができる。さらに、伸縮バンド５は軽量なので、使用者は軽快にプレーできる。
【００１９】
また、伸縮バンド５が（プロテクタやレッグガードを装着している場合のように）５０％の伸長状態にあるとき、通気用隙間８…の合計面積が、網状面Ｓの総面積に対して、２０％乃至３５％であると、かいた汗を、通気用隙間８…から十分透過・蒸発させることができ、かつ、ゴム糸２が伸び過ぎて、縦方向に引きちぎられることもない。
【００２０】
また、伸長規制糸４…・ゴム糸２…が着色されており、上記の通気用隙間８…とプラスチック線条体３…とが、透過して見え、かつ、網状面Ｓの伸長規制糸４…・ゴム糸２…の形状は、周期的な配列模様になっているので、見かけ透過部分と着色部分とのコントラストが美しく、デザイン性に優れる。そして、通気用隙間８…及び透明（半透明）のプラスチック線条体３…とを合わせた見かけ透過部分の面積は、実際に通気する隙間８の合計面積よりも大きく見えるので、涼しい感じを使用者に与える。また、使用者の好みの色に着色することで、装着してプレーする楽しみが増す。
なお、伸縮バンド５に於て、１対の側辺部材９，９の各々の横方向の幅寸法を、網状面Ｓの幅寸法の１０％〜２０％に設定するのが好ましく、伸縮バンド５を使用時に、通気用隙間８…から、効率よく汗を蒸発させることができる。
【００２１】
【発明の効果】
本発明は、上述の構成により次のような著大な効果を奏する。
【００２２】
（請求項１によれば、）プロテクタやレッグガードを、使用者の体型に合わせてフィットする長さに伸ばして装着することができ、また、伸縮バンドが横方向に伸びないので形状が崩れない。さらに、伸長規制糸４により、斜め方向に引っ張られても、ゴム糸２…の間隔寸法が変わる等の形状の崩れは起きない。よって、繰り返し激しい動きをして使用しても、自由状態では元の形状へと戻り、耐久性に優れるので、寿命が長い。
【００２３】
（請求項２によれば、）伸縮バンドは、ゴム糸２…が切れてしまう引っ張り限界長さを超えて伸びることがなく、引きちぎられる虞れがない。
【００２４】
（請求項３，５によれば、）通気用隙間８…とプラスチック線条体３…とが、透過して見え、その透過して見える面積が大きくて、涼しい感じを使用者に与えると共に、着色された伸長規制糸４…・ゴム糸２…の形状は、周期的な配列模様になっているので、見かけ透過部分と着色部分とのコントラストが美しく、デザイン性に優れる。そして、使用者の好みの色に着色することで、装着してプレーする楽しみが増す。
【００２５】
（請求項４，５によれば、）かいた汗を、通気用隙間８…から十分透過・蒸発させることができ、風通しが良いので、使用者は気持ち良くプレーすることができ、かつ、ゴム糸２が伸び過ぎて、縦方向に引きちぎれてしまうこともない。
【図面の簡単な説明】
【図１】本発明に係る野球防護具用バンド構造の実施の一形態を示す背面図である。
【図２】伸縮可能バンドの平面図である。
【図３】図２のＡ−Ａ断面図である。
【図４】伸縮可能バンドの要部拡大平面図である。
【図５】本発明に係る野球防護具用バンド構造の他の実施の形態を示す斜視図である。
【符号の説明】
２  ゴム糸
３  プラスチック線条体
４  伸長規制糸
５  伸縮バンド
８  通気用隙間
Ｓ    網状面
【図１】
2005008996.tif 000003
【図２】
2005008996.tif 000004
【図３】
2005008996.tif 000005
【図４】
2005008996.tif 000006
【図５】
2005008996.tif 000007